(57)【要約】【課題】予め乗客の目的地情報を収集して弾力的な運行を実施できる運行車両と乗換駅との連携システムを提供する。【解決手段】運行車両と乗換駅との連携システムにおいて、主に車両の入口１１に配置される目的地指定・降車券発券・精算機１２と、この目的地指定・降車券発券・精算機１２に接続され、運転士の運転席の近傍に配置される前記車両の乗客の目的地情報を収集・表示する目的地情報表示装置１３と、車両の出口１６に配置される降車券照合機１７と、前記車両の乗客の目的地情報に基づいて乗換駅での乗換え乗客の有無を当該乗換駅へ通報する通信手段とを具備する。【選択図】図２
2006338297.tif 000002
【特許請求の範囲】
【請求項１】
（ａ）車両の入口に配置される整理券発行機と、
（ｂ）主に車両の入口に配置される目的地指定・降車券発券・精算機と、
（ｃ）該目的地指定・降車券発券・精算機に接続され、運転士の運転席の近傍に配置される前記車両の乗客の目的地情報を収集・表示する目的地情報表示装置と、
（ｄ）車両の出口に配置される降車券照合機と、
（ｅ）前記車両の乗客の目的地情報に基づいて乗換駅での乗換え乗客の有無を当該乗換駅へ通報する通信手段とを具備することを特徴とする運行車両と乗換駅との連携システム。
【請求項２】
請求項１記載の運行車両と乗換駅との連携システムにおいて、前記目的地情報が当該運行している路線にない場合には、前記目的地情報を有する路線を探索して乗換駅を前記目的地情報表示装置に表示することを特徴とする運行車両と乗換駅との連携システム。
【請求項３】
請求項１記載の運行車両と乗換駅との連携システムにおいて、前記降車券照合機には停車駅毎の降車駅情報を記憶させることを特徴とする運行車両と乗換駅との連携システム。
【請求項４】
請求項１記載の運行車両と乗換駅との連携システムにおいて、前記車両の入口に配置される目的地指定・降車券発券・精算機及び前記車両の出口に配置される降車券照合機は耐振動型の据え置き情報処理装置であることを特徴とする運行車両と乗換駅との連携システム。
【発明の詳細な説明】
【技術分野】
【０００１】
本発明は、運行車両と乗換駅との連携システムに関するものである。
【背景技術】
【０００２】
近年、路面電車やバス、郊外鉄道等のワンマン車両は、マイカーに代わる自然に優しい便利な住民の足として、その利用が見直されようとしている。このようなワンマン車両には乗車券の有無をはじめ乗車態様の異なる乗客が乗車することになるため、従来は、乗客の下車時に運転士が乗車態様の異なる乗客にそれぞれ対応してチェック又は料金徴収を行い、降車を許可するようにしている。そのため、各乗客の下車に時間がかかり、結果として停車設定時間を長めにとる必要があり、車両運行の遅延を来すといった問題があった。
【特許文献１】なし
【発明の開示】
【発明が解決しようとする課題】
【０００３】
上記したように、従来のワンマン車両のシステムのままでは乗客の降車時に時間がかかるため、時刻表通りの運行ができず、利用客離れを招来する恐れがある。また、運転士にとっては過酷な作業を強いられることになる。さらに、車両の運行遅延は乗客が下車後乗換えを予定している場合には、深刻な事態となる。
【０００４】
また、乗換駅においては、乗換え前の列車が遅れている場合には接続列車は出発を遅らせて乗換えの乗客を待つ必要がある。もし、乗換え前の列車に接続列車への乗換え乗客がいなければ、本来、接続列車は待つ必要がないにもかかわらず、乗換え乗客がいるかどうか不明な状態で接続列車はただ待つことを余儀なくされる。そのような乗換え乗客がいるかどうかを確認するために、時には添乗員が車両内を尋ね歩くことも考えられるが、極力添乗員を減らし、低コスト化を図りたいワンマン車両においてはそれも得策とはいえない。
【０００５】
このように、車両内に乗換え乗客がいるかどうかが不確定な状態により招かれる種々の不便さを回避するために、本発明は、
（１）車両内で乗客の目的地を確定させ、
（２）運転士又は目的地指定・降車券発券・精算機は目的地から乗換駅での乗換え乗客の有無を確認し、
（３）乗換え乗客の有無の情報を乗換駅に通信してその情報に基づいて接続列車の出発／待機の判断ができるようなシステムを提供することを目的とする。
【０００６】
すなわち、本発明は、上記状況を考慮して、予め車内の乗客の目的地情報に基づく乗換駅での乗換え乗客の有無を乗換駅へ通信して乗換駅での接続列車の弾力的な運行を実施できる運行車両と乗換駅との連携システムを提供することを目的とする。
【課題を解決するための手段】
【０００７】
本発明は、上記目的を達成するために、
〔１〕運行車両と乗換駅との連携システムにおいて、車両の入口に配置される整理券発行機と、主に車両の入口に配置される目的地指定・降車券発券・精算機と、この目的地指定・降車券発券・精算機に接続され、運転士の運転席の近傍に配置される前記車両の乗客の目的地情報を収集・表示する目的地情報表示装置と、車両の出口に配置される降車券照合機と、前記車両の乗客の目的地情報に基づいて乗換駅での乗換え乗客の有無を当該乗換駅へ通報する通信手段とを具備する。
【０００８】
〔２〕上記〔１〕記載の運行車両と乗換駅との連携システムにおいて、前記目的地情報が当該運行している路線にない場合には、前記目的地情報を有する路線を探索して乗換駅を前記目的地情報表示装置に表示することを特徴とする。
【０００９】
〔３〕上記〔１〕記載の運行車両と乗換駅との連携システムにおいて、前記降車券照合機には停車駅毎の降車駅情報を記憶させることを特徴とする。
【００１０】
〔４〕上記〔１〕記載の運行車両と乗換駅との連携システムにおいて、前記車両の入口に配置される目的地指定・降車券発券・精算機及び前記車両の出口に配置される降車券照合機は耐振動型の据え置き情報処理装置であることを特徴とする。
【発明の効果】
【００１１】
本発明によれば、次のような効果を奏することができる。
【００１２】
（１）運行車両では、車両の乗客の目的地及び乗換え情報を、乗換駅では乗換え乗客の有無を的確に把握することができる。
【００１３】
（２）乗換える乗客の有無に関する情報に基づき、乗換駅においては、この情報に基づいて弾力的な接続列車の運行を実施することができる。
【００１４】
（３）各種態様の乗客に対する乗車区間の不正乗車を防止することができる。
【発明を実施するための最良の形態】
【００１５】
本発明の運行車両と乗換駅との連携システムは、車両の入口に配置される整理券発行機と、主に車両の入口に配置される目的地指定・降車券発券・精算機と、この目的地指定・降車券発券・精算機に接続されており、運転士の運転席の近傍に配置され、車両の乗客の目的地情報を収集・表示する目的地情報表示装置と、車両の出口に配置される降車券照合機と、前記車両の乗客の目的地情報に基づいて乗換駅での乗換え乗客の有無を当該乗換駅へ通報する通信手段とを具備する。よって、車両の乗客の目的地及び乗換え乗客の有無情報を的確に把握することができる。
【実施例】
【００１６】
以下、本発明の実施の形態について詳細に説明する。
【００１７】
図１は本発明の実施例を示す運行車両と乗換駅との連携システムの路線模式図である。
【００１８】
この図において、車両の路線はＫ線、Ｌ線、Ｍ線の三線あり、Ｋ線のＥ駅においてＬ線へ、また、Ｌ線のＪ駅においてＭ線へ乗換えが可能になっている。なお、ＮはＫ線走行中の車両、ＯはＬ線Ｅ駅で待機している乗換え車両、ＰはＭ線Ｊ駅で待機している乗換え車両である。
【００１９】
そこで、Ｋ線を運行している路面電車（ＬＲＴ：Ｌｉｇｈｔ  Ｒａｉｌ  Ｔｒａｎｓｉｔ）やバス、郊外鉄道のワンマン車両は以下のように構成されている。
【００２０】
図２は本発明の実施例を示すワンマン車両の運行システムの構成図である。
【００２１】
この図において、１は有人駅、２は乗換駅、３は有人停留所、４は無人駅、５は無人停留所、１０はワンマン車両（ＬＲＴや乗合バス、郊外鉄道の先頭車）、１１はワンマン車両１０の入口、１１Ａは整理券発行機、１２はその入口１１に配置される目的地指定・降車券発券・精算機、１３は目的地情報表示装置、１４，１５はラッシュ時などに用いる補助の目的地指定・降車券発券・精算機、１６はワンマン車両１０の出口、１７はそのワンマン車両１０の出口１６に配置される降車券照合機、１８はワンマン車両１０の運転士である。ここで、車両１０内に配置される目的地指定・降車券発券・精算機１２及び降車券照合機１７は、据え置き型であり、本体の固定部には十分な振動吸収部材を配置した耐振動型の情報処理装置である。
【００２２】
図３はワンマン車両の入口に配置される目的地指定・降車券発券・精算機の模式図、図４は運転士が指定できる位置に配置される目的地情報表示装置の模式図である。
【００２３】
このワンマン車両１０には、有人駅１で目的地（行先）までの乗車券６を購入済みの乗客や、有人の停留所３で目的地までの乗車券８を購入済みの乗客、さらに無人駅４や無人停留所５から目的地までの乗車券を持たず、ワンマン車両１０内で初めて乗車券を求める乗客が乗車している。そのワンマン車両１０で初めて乗車券を求める乗客としては、現金で目的地までの乗車券を求める乗客、プリペイドカードでの支払いで目的地までの乗車券を求める乗客など様々である。
【００２４】
本発明の情報入力装置としての目的地指定・降車券発券・精算機１２は、図３に示すように、これらの様々な乗車態様に対応できるように構成されている。すなわち、乗車券を持たず精算を必要とする乗客は、まず、乗車時に入口で整理券発行機１１Ａで整理券（乗車駅情報が記録されている）を入手して、その整理券を各種券投入口２１に投入し、路線図付きのボタン２２を操作して目的地駅を入力する。その目的地を入力すると、料金が料金表示部２３に表示されるので、料金投入口２４から現金を投入し、発券排出口２６から降車券の発券を受ける。また、プリペイドカードを利用する場合には、プリペイドカード投入口２５からプリペイドカードを投入すると、プリペイドカードから料金が引き落とされ、発券排出口２６から精算済みのプリペイドカードとともに降車券が発券される。この発券された降車券には乗車駅と目的地駅情報が記録されている。釣銭がある場合には釣銭排出口２７に釣銭が排出される。ここで、目的地指定・降車券発券・精算機１２は乗客の目的地を確定して、その目的地情報を目的地情報表示装置１３に送信して表示する。
【００２５】
また、既に目的地までの乗車券を所持している乗客も、乗車時にはまず整理券発行機１１Ａから整理券を受け取る。この整理券には乗車駅と乗車日時が記録されている。そこで、各種券投入口２１にその整理券と乗車券を投入すると、降車券が発券される。なお、乗車券の乗り越しを行う場合には、路線図付きのボタン２２を操作して希望する目的地駅を入力する。この操作により目的地情報が目的地情報表示装置１３に送信されて表示される。そして、乗客は料金が料金表示部２３に表示されるので、料金投入口２４から現金を投入し、発券排出口２６から降車券の発券を受ける。
【００２６】
さらに、定期券を所持する乗客の場合も、車両に乗車時にはまず整理券発行機１１Ａから整理券を受け取る。その整理券と定期券を各種券投入口２１に投入し、目的地情報を提示すると、適正な定期券である場合には、発券排出口２６から定期券が返却されるとともに降車券が発券される。なお、定期券区間の乗り越しを行う場合には、路線図付きのボタン２２を操作して希望する目的地駅を入力する。すると、目的地情報が目的地情報表示装置１３に送信されて表示されるとともに、料金が料金表示部２３に表示されるので、料金投入口２４から現金を投入し、発券排出口２６から降車券の発券を受ける。
【００２７】
このようにして、乗客が何れの乗車態様であっても、整理券をとり、降車券を得るようにする。
【００２８】
出口に配置されている降車券照合機１７では、降車する乗客の所持する降車券に記録された降車駅が現在停車中の駅かをチェックする。これは、乗客が降車駅を間違えたり（乗車区間内で目的地より手前の駅で降車する場合はこれを許可する）、定期券にありがちな乗車区間の不正乗車を防止する上からも重要な確認事項である。
【００２９】
例えば、従来のシステムでは、Ｋ線の車両Ｎが予定より遅れて運行しているような場合、Ｌ線のＥ駅では、出発予定時間が過ぎても、Ｋ線の車両Ｎが到着するまで車両Ｏが待たなければならないような事態が生じる。しかし、本発明によれば、予め（遅くともＫ線のＤ駅を過ぎた時点で）、乗客の中にＥ駅でＬ線に乗換える乗客があるか否かを把握できるので、車両Ｎの運転士１８は目的地情報表示装置１３を確認することにより、Ｅ駅で乗換える乗客の有無をＥ駅に通信手段（無線、有線のいずれでもよい）で連絡する。Ｅ駅ではその情報に基づいてＬ線の車両Ｏを定刻通りに発車させる又は待機させるなど弾力的な走行を行うことができる。特に、新幹線のようにＤ駅、Ｅ駅間が離れている場合だけでなく、運行本数の少ない路線や最終列車への接続の場合にも効果が大きい。
【００３０】
そして、更にＬ線Ｊ駅において、Ｍ線の車両Ｐに乗換える乗客がいない場合には、Ｍ線の車両Ｐは定時に出発させることもできる。
【００３１】
図５は本発明の運行車両と乗換駅との連携システムのフローチャートである。
【００３２】
まず、乗客の降車券に基づく目的地情報を収集したか否かをチェックする（ステップＳ１）。すなわち、車両がＫ線のＤ駅を通過したらＥ駅で乗換える乗客がいるかどうか車内放送などで報知し、乗客の目的地の指定と降車券の取得を促す。それらが済んでいない乗客があれば、補助の目的地指定・降車券発券・精算機１４，１５にアクセスしてもらうように車内放送による案内をすることが望ましい。
【００３３】
次に、ステップＳ１でＹＥＳの場合には、目的地情報表示装置１３への表示が確定的に行なわれる（ステップＳ２）。
【００３４】
次に、運転士は乗換駅でさらに乗換える乗客がいるか否かをチェックする（ステップＳ３）。ここでは、乗換えの乗客の乗車券（Ｋ線以外の目的地が表示された乗車券）が目的地指定・降車券発券・精算機１２に投入されると、Ｋ線にはその目的地駅が見出せない。そこで、その目的地駅は何線であるのか、その線に乗り換えるにはＫ線のどの駅で降車すればいいのかを探索する。それは目的地情報表示装置１３によって容易に探索され、その乗換駅が点灯表示される。
【００３５】
次に、ステップＳ３でＹＥＳの場合には、運転士１８は乗換駅に乗換えの乗客があることを通信手段で連絡する（ステップＳ４）。
【００３６】
次に、乗換駅からの連絡承認通知があるか否かを運転士１８はチェックする（ステップＳ５）。
【００３７】
次に、ステップＳ５でＹＥＳの場合には運転士１８は乗換えの乗客へ乗換えの案内をする（ステップＳ６）。ステップＳ５でＮＯの場合には、再びステップＳ４に戻り、乗換駅に乗換えの乗客があることを通知する。
【００３８】
ステップＳ３でＮＯの場合には、運転士１８は乗換駅に乗換えの乗客がないことを乗換駅に連絡する（ステップＳ７）。
【００３９】
次いで、乗換駅からの連絡承認通知があるか否かを運転士１８はチェックする（ステップＳ８）。ステップＳ８でＹＥＳの場合には終了するが、ステップＳ８でＮＯの場合には、再びステップＳ７に戻り、乗換駅に乗換えの乗客がないことを通知する。
【００４０】
このように構成することにより、乗客の全員の目的地を事前に把握し表示することができ、接続される乗換駅で乗換える乗客の有無を乗換駅に的確に通知することができ、弾力的な運行システムを提供することができる。
【００４１】
また、このように構成したので、運転士は乗客の降車時の運賃の確認などに時間をかける必要がなくなり、専ら乗客の目的地への的確な運行に注力することができる。特に、定期券による乗車区間の不正乗車などのチェックを運転士に負担させることは過酷であるが、これを解消することができる。
【００４２】
一方、乗客にとっては、特に、降車時の処理が円滑になり、その分乗り降りに要する時間を短縮できる。さらに、ワンマン車両の時刻表通りの運行が励行されることにより、利用客の増大を見込むことができる。
【００４３】
また、車両の乗客にとっては、乗換えるべき駅で円滑かつ確実に乗換えることができ、また、鉄道会社にとっては、車両の乗客が次に乗換えるべき駅を有しない場合は、乗換駅にその旨通報することにより、乗換駅においてその通報情報に基づいて接続列車の弾力的な運行を実施できる利点がある。
【００４４】
なお、上記実施例では、路面電車やバス、郊外鉄道等のワンマン車両への適用について述べたが、郊外へと延び運行車両（中央線や常磐線などの車両）へ適用できることは言うまでもない。
【００４５】
また、本発明は上記実施例に限定されるものではなく、本発明の趣旨に基づき種々の変形が可能であり、これらを本発明の範囲から排除するものではない。
【産業上の利用可能性】
【００４６】
本発明の運行車両と乗換駅との連携システムは、円滑な運行を実施できる路線間の連携システムに利用可能である。
【図面の簡単な説明】
【００４７】
【図１】本発明の実施例を示す運行車両と乗換駅との連携システムの路線模式図である。
【図２】本発明の実施例を示すワンマン車両の運行システムの構成図である。
【図３】本発明の実施例を示すワンマン車両の入口に配置される目的地指定・降車券発券・精算機の模式図である。
【図４】運転士が確認できる位置に配置される目的地情報表示装置の模式図である。
【図５】本発明の乗客の乗換え車両への連携システムのフローチャートである。
【符号の説明】
【００４８】
１    有人駅
２    乗換駅
３    有人停留所
４    無人駅
５    無人停留所
１０    ワンマン車両（ＬＲＴや乗合バス、郊外鉄道の先頭車）
１１    ワンマン車両の入口
１１Ａ    整理券発行機
１２    目的地指定・降車券発券・精算機
１３    目的地情報表示装置
１４，１５    補助の目的地指定・降車券発券・精算機
１６    ワンマン車両の出口
１７    降車券照合機
１８    運転士
２１    各種券投入口
２２    路線図付きのボタン
２３    料金表示部
２４    料金投入口
２５    プリペイドカード投入口
２６    発券排出口
２７    釣銭排出口
【図１】
2006338297.tif 000003
【図２】
2006338297.tif 000004
【図３】
2006338297.tif 000005
【図４】
2006338297.tif 000006
【図５】
2006338297.tif 000007